(57)【要約】【課題】簡単な回路構成で、異常検出時に電力の供給を停止して安全を確保するとともに、電力損失を抑制する。【解決手段】電力生成回路１１０は、負荷回路（光源回路８１０）に供給する電力を生成する。制御回路１２０は、電力生成回路１１０を制御する。制御電源回路１３０は、制御回路１２０に供給する制御電源電力を生成する。異常検出回路１４０は、負荷回路の異常を検出する。スイッチ回路１５０は、異常検出回路１４０が負荷回路の異常を検出した場合に、制御電源回路１３０が生成した制御電源電力の制御回路１２０に対する供給を遮断する。【選択図】図２
2011130543.tif 000002
【特許請求の範囲】
【請求項１】
電力生成回路と、制御回路と、制御電源回路と、異常検出回路と、スイッチ回路とを有し、
上記電力生成回路は、負荷回路に供給する電力を生成し、
上記制御回路は、上記電力生成回路を制御し、
上記制御電源回路は、上記制御回路に供給する制御電源電力を生成し、
上記異常検出回路は、上記負荷回路の異常を検出し、
上記スイッチ回路は、上記異常検出回路が上記負荷回路の異常を検出した場合に、上記制御電源回路が生成した制御電源電力の上記制御回路に対する供給を遮断することを特徴とする電源回路。
【請求項２】
上記異常検出回路は、上記負荷回路の異常を検出した場合に、上記負荷回路の異常を検出したことを記憶することを特徴とする請求項１に記載の電源回路。
【請求項３】
上記電源回路は、更に、指示入力回路を有し、
上記指示入力回路は、上記電力生成回路が上記負荷回路に供給する電力を指示する指示信号を入力し、
上記制御回路は、上記指示入力回路が入力した指示信号にしたがって、上記電力生成回路が上記負荷回路に供給する電力を制御し、
上記スイッチ回路は、更に、上記指示入力回路が入力した指示信号が、上記負荷回路に電力を供給しないことを指示する場合に、上記制御電源回路が生成した制御電源電力の上記制御回路に対する供給を遮断することを特徴とする請求項１または請求項２に記載の電源回路。
【請求項４】
上記電力生成回路は、電源から供給された電力を変換して、上記負荷回路に供給する電力を生成し、
上記スイッチ回路は、更に、上記電源からの電力供給が開始してから所定の時間が経過するまでの間、上記制御電源回路が生成した制御電源電力の上記制御回路に対する供給を遮断することを特徴とする請求項１乃至請求項３のいずれかに記載の電源回路。
【請求項５】
上記制御回路は、上記負荷回路を流れる電流が所定の電流値になるよう、上記電力生成回路が上記負荷回路に供給する電力の電圧を制御し、
上記異常検出回路は、上記電力生成回路が上記負荷回路に供給する電力の電圧に基づいて、上記負荷回路の異常を検出することを特徴とする請求項１乃至請求項４のいずれかに記載の電源回路。
【請求項６】
請求項１乃至請求項５のいずれかに記載の電源回路と、供給された電力により点灯する光源を有し、上記電源回路に対する負荷回路として上記電力生成回路が生成した電力の供給を受ける光源回路とを有することを特徴とする照明装置。
【発明の詳細な説明】
【技術分野】
【０００１】
この発明は、光源回路などの負荷回路に電力を供給する電源回路に関する。
【背景技術】
【０００２】
負荷回路には、定電流制御に適したものがある。例えば、発光ダイオードは、順方向降下電圧のバラツキが大きいため、発光ダイオードを有する負荷回路は、定電流制御に適している。電源回路が定電流制御である場合において、断線故障や無負荷などの異常が発生した場合にも一定の電流を流そうとするのを防ぐため、異常を検出し、電源回路から負荷回路に対する電力の供給を停止する必要がある。
【先行技術文献】
【特許文献】
【０００３】
【特許文献１】特開２００８−１０４２７５号公報
【発明の概要】
【発明が解決しようとする課題】
【０００４】
また、地球温暖化対策として、電源回路の部品数削減や電力損失の抑制をする必要がある。
この発明は、例えば上記のような課題を解決するためになされたものであり、簡単な回路構成で、異常発生時の電力供給を停止して安全を確保するとともに、電力損失を抑えることを目的とする。
【課題を解決するための手段】
【０００５】
この発明にかかる電源回路は、電力生成回路と、制御回路と、制御電源回路と、異常検出回路と、スイッチ回路とを有し、
上記電力生成回路は、負荷回路に供給する電力を生成し、
上記制御回路は、上記電力生成回路を制御し、
上記制御電源回路は、上記制御回路に供給する制御電源電力を生成し、
上記異常検出回路は、上記負荷回路の異常を検出し、
上記スイッチ回路は、上記異常検出回路が上記負荷回路の異常を検出した場合に、上記制御電源回路が生成した制御電源電力の上記制御回路に対する供給を遮断することを特徴とする。
【発明の効果】
【０００６】
スイッチ回路が制御電源電力の供給を遮断することにより、制御回路が停止する。これにより、電力生成回路が電力を生成しなくなり、異常が発生した負荷回路への電力の供給が停止するので、簡単な回路構成で、電源回路の故障を防ぎ、安全性を確保することができる。また、制御回路の待機電力など無駄な電力損失をなくすことができる。
【図面の簡単な説明】
【０００７】
【図１】実施の形態１における照明装置８００の構造の一例を示す側面視断面図。
【図２】実施の形態１における照明装置８００の全体構成の一例を示すシステム構成図。
【図３】実施の形態１における電源回路１００及び光源回路８１０の回路構成の一例を示す回路構成図。
【図４】実施の形態２における照明装置８００の全体構成の一例を示すシステム構成図。
【図５】実施の形態２における電源回路１００及び光源回路８１０の回路構成の一例を示す回路構成図。
【図６】実施の形態３における電源回路１００及び光源回路８１０の回路構成の一例を示す回路構成図。
【図７】実施の形態３におけるＬＥＤ点灯装置の動作の流れを示すフローチャート図。
【発明を実施するための形態】
【０００８】
実施の形態１．
実施の形態１について、図１〜図３を用いて説明する。
【０００９】
図１は、この実施の形態における照明装置８００の構造の一例を示す側面視断面図である。
照明装置８００（照明器具）は、本体８５０、コネクタ８６０、光源基板８７０、電源回路１００を有する。
本体８５０は、電源回路１００などを取り付けるための筐体である。コネクタ８６０は、商用電源などの交流電源から電力の供給を受けるための接続部である。光源基板８７０は、ＬＥＤなどの電気的光源を実装した基板である。電源回路１００は、配線８８１を介してコネクタ８６０と接続している。電源回路１００は、コネクタ８６０を介して交流電源からの電力を入力する。電源回路１００は、入力した電力を光源基板８７０に供給する電力に変換する。電源回路１００は、配線８８２を介して光源基板８７０に接続している。電源回路１００は、変換した電力を光源基板８７０に供給する。光源基板８７０の光源は、電源回路１００から供給された電力により点灯する。
【００１０】
図２は、この実施の形態における照明装置８００の全体構成の一例を示すシステム構成図である。
照明装置８００は、上記説明した構成に加えて、光源回路８１０を有する。
光源回路８１０（負荷回路）は、光源基板８７０に実装された光源やその他の部品、光源基板８７０に印刷された配線パターンなどにより構成された回路である。
電源回路１００は、電力生成回路１１０、制御回路１２０、制御電源回路１３０、異常検出回路１４０、スイッチ回路１５０を有する。
【００１１】
電力生成回路１１０は、コネクタ８６０を介して入力した交流電源などからの電力を変換して、光源回路８１０に供給する電力を生成する。なお、電力生成回路１１０は、交流電源などから電力を入力する代わりに、バッテリーなどに蓄えられた電力を入力する構成でもよい。
制御回路１２０は、電力生成回路１１０を制御する。制御回路１２０は、例えば、光源回路８１０を流れる電流が所定の電流値になるよう、電力生成回路１１０が生成する電力の電圧を調整する。
【００１２】
制御電源回路１３０は、制御回路１２０に供給する制御電源電力を生成する。制御電源回路１３０は、例えば、電力生成回路１１０と同様、コネクタ８６０を介して入力した交流電源などからの電力を変換して、制御回路１２０に供給する制御電源電力を生成する。制御回路１２０は、制御電源回路１３０から供給された制御電源電力により動作する。
【００１３】
異常検出回路１４０は、光源回路８１０の異常を検出する。異常検出回路１４０は、例えば、光源回路８１０の電圧や電流を測定し、測定した電圧や電流が正常値の範囲内であるかを判定することにより、光源回路８１０に断線故障や短絡故障などの異常が発生しているか否かを判定する。
【００１４】
スイッチ回路１５０は、制御電源回路１３０と制御回路１２０との間に介在する。
正常時、すなわち、異常検出回路１４０が異常を検出していない場合、スイッチ回路１５０は導通し、制御電源回路１３０が生成した電力を制御回路１２０へ供給する。制御回路１２０は、制御電源回路１３０から供給された電力により動作する。
異常発生時、すなわち、異常検出回路１４０が異常を検出した場合、スイッチ回路１５０は遮断し、制御電源回路１３０から制御回路１２０への電力供給を停止する。制御回路１２０は、動作を停止する。制御回路１２０が停止したことにより、電力生成回路１１０も動作を停止し、光源回路８１０に供給する電力を生成しなくなる。光源回路８１０の光源は、電力の供給を絶たれ、消灯する。
これにより、異常検出時に光源回路８１０の光源を消灯することができる。消灯中は、電力生成回路１１０だけでなく、制御回路１２０も動作を停止するので、無駄な電力消費を抑えることができる。
【００１５】
図３は、この実施の形態における電源回路１００及び光源回路８１０の回路構成の一例を示す回路構成図である。
【００１６】
光源素子８１１は、例えば発光ダイオード（以下「ＬＥＤ」と呼ぶ。）などの光源である。光源回路８１０は、１以上の光源素子８１１を有する。光源回路８１０は、例えば光源素子８１１を直列に電気接続した回路である。
【００１７】
電力生成回路１１０は、例えば、ダイオードブリッジＤＢ、力率改善回路１１１、直流直流変換回路１１２を有する。
ダイオードブリッジＤＢは、交流電源ＡＣから入力した交流電力を全波整流して、電圧波形を脈流にする。
力率改善回路１１１は、制御ＩＣ１２１の制御を受けて動作する。力率改善回路１１１は、ダイオードブリッジＤＢが全波整流した脈流電圧を、直流電圧に変換する。力率改善回路１１１は、入力側の電流波形を、脈流の電圧波形に近似した波形に整えることにより、力率を改善する。力率改善回路１１１は、例えば、チョークコイルＬ１１、スイッチング素子Ｑ１２、整流素子Ｄ１３、平滑コンデンサＣ１４により構成される昇圧チョッパ回路である。スイッチング素子Ｑ１２は、例えば、ｎＭＯＳ電界効果トランジスタ（以下「ＦＥＴ」と呼ぶ。）である。スイッチング素子Ｑ１２は、制御ＩＣ１２１からの制御信号により、オンオフする。
【００１８】
直流直流変換回路１１２は、制御ＩＣ１２２の制御を受けて動作する。直流直流変換回路１１２は、力率改善回路１１１が変換した直流電圧を、電圧値の異なる直流電圧に変換する。直流直流変換回路１１２は、例えば、スイッチング素子Ｑ２１、駆動回路１１３、整流素子Ｄ２２、チョークコイルＬ２３、平滑コンデンサＣ２４により構成される降圧回路である。スイッチング素子Ｑ２１は、例えばｎＭＯＳＦＥＴである。駆動回路１１３は、制御ＩＣ１２２からの制御信号にしたがって、スイッチング素子Ｑ２１をオンオフする。なお、電流検出抵抗Ｒ３１は、後述する電流検出回路１２５が電流を検出するためのものであり、直流直流変換回路１１２の降圧回路としての動作には、直接関係しない。
直流直流変換回路１１２が変換した直流電圧は、光源回路８１０の両端に印加される。これにより、電力生成回路１１０が生成した電力が光源回路８１０に供給される。
【００１９】
制御ＩＣ１２１は、制御回路１２０の一部である。制御ＩＣ１２１は、制御電源回路１３０が生成した制御電源電力の供給を受けて動作する。制御ＩＣ１２１は、スイッチング素子Ｑ１２をオンオフするための制御信号を生成することにより、力率改善回路１１１を制御する。
制御ＩＣ１２１は、力率改善回路１１１が入力する脈流電圧と、力率改善回路１１１が変換した直流電圧とを検出する。制御ＩＣ１２１は、力率改善回路１１１の入力側の電流波形が、検出した脈流電圧に近似した波形となり、かつ、力率改善回路１１１の出力電圧が所定の値となるよう、スイッチング素子Ｑ１２をオンオフする制御信号を生成する。
スイッチング素子Ｑ１２がオンになると、力率改善回路１１１が入力する電流は増加する。制御ＩＣ１２１は、制御信号により、スイッチング素子Ｑ１２をオンにし、力率改善回路１１１が入力する電流が、検出した脈流電圧に比例する値に達したところで、スイッチング素子Ｑ１２をオフにする。スイッチング素子Ｑ１２がオフになると、力率改善回路１１１が入力する電流は減少する。制御ＩＣ１２１は、力率改善回路１１１が入力する電流が０になるまで、スイッチング素子Ｑ１２をオフにし続ける。これを繰り返すことにより、力率改善回路１１１は、力率改善動作をする。すなわち、力率改善回路１１１が入力する電流の波形は、脈流電圧の波形に近似した波形となる。
また、力率改善回路１１１の出力電圧が所定の値より低ければ、制御ＩＣ１２１は、制御信号により、スイッチング素子Ｑ１２をオンにしている期間の割合（オンデューティ）を大きくする。これにより、力率改善回路１１１が出力する直流電圧が上昇する。逆に、力率改善回路１１１の出力電圧が所定の値より高ければ、制御ＩＣ１２１は、制御信号により、オンデューティを小さくする。これにより、力率改善回路１１１が出力する直流電圧が下降する。これを繰り返すことにより、力率改善回路１１１は、昇圧動作をする。すなわち、力率改善回路１１１が出力する直流電圧は、力率改善回路１１１が入力する脈流電圧のピーク値より高い所定の値となる。
【００２０】
制御ＩＣ１２１に制御電源電力が供給されず制御ＩＣ１２１が動作を停止した場合、制御ＩＣ１２１が制御信号を生成しないので、スイッチング素子Ｑ１２はオフのままになる。力率改善回路１１１は、力率改善動作も昇圧動作もせず、入力した脈流電圧のピーク値とほぼ等しい電圧を出力する。
【００２１】
電流検出回路１２５は、制御回路１２０の一部である。電流検出回路１２５は、光源回路８１０を流れる電流を検出する。電流検出回路１２５は、例えば、電流検出抵抗Ｒ３１、抵抗Ｒ３２、コンデンサＣ３３、増幅器Ａ３４、基準電圧源Ｖ３５を有する。
電流検出抵抗Ｒ３１には、平滑コンデンサＣ２４を充電する電流が流れる。電流検出抵抗Ｒ３１の両端には、流れた電流、すなわち平滑コンデンサＣ２４を充電する電流に比例する電圧が発生する。
増幅器Ａ３４は、例えばオペアンプである。増幅器Ａ３４は、正側入力端子と負側入力端子との電位差を増幅して、増幅した電圧を出力端子から出力する。抵抗Ｒ３２は、電流検出抵抗Ｒ３１の光源回路８１０側の端子と、増幅器Ａ３４の負側入力端子との間に電気接続している。コンデンサＣ３３は、増幅器Ａ３４の負側入力端子と出力端子との間に電気接続している。これにより、積分回路が構成される。
基準電圧源Ｖ３５は、基準電圧を生成する。基準電圧源Ｖ３５は、増幅器Ａ３４の正側入力端子と、電源回路１００内のグランド配線との間に電気接続している。
増幅器Ａ３４は、電流検出抵抗Ｒ３１の両端に発生した電圧と基準電圧源Ｖ３５が生成した基準電圧との差電圧を積分回路により平均化し、平均化した電圧に比例する電圧を出力する。
平滑コンデンサＣ２４の両端電圧が安定している場合、平滑コンデンサＣ２４を充電する電流の平均値と、平滑コンデンサＣ２４を放電する電流の平均値とは等しい。平滑コンデンサＣ２４を放電する電流は、すなわち光源回路８１０を流れる電流である。よって、電流検出抵抗Ｒ３１の両端に発生する電圧の平均値（以下「電流検出電圧」と呼ぶ。）は、光源回路８１０を流れる電流に比例する。
すなわち、電流検出回路１２５は、光源回路８１０を流れる電流に比例する電流検出電圧と、基準電圧源Ｖ３５が生成した基準電圧とを比較して、どちらが大きいかを示す信号を生成する。
【００２２】
制御ＩＣ１２２は、制御回路１２０の一部である。制御ＩＣ１２２は、制御電源回路１３０が生成した制御電源電力の供給を受けて動作する。制御ＩＣ１２２は、スイッチング素子Ｑ２１をオンオフするための制御信号を生成することにより、直流直流変換回路１１２を制御する。制御ＩＣ１２２は、光源回路８１０を流れる電流が所定の値になるよう、直流直流変換回路１１２を制御する。
制御ＩＣ１２２は、電流検出回路１２５が生成した信号に基づいて、電流検出電圧が基準電圧より低い場合、制御信号により、スイッチング素子Ｑ２１のオンデューティを大きくする。その結果、直流直流変換回路１１２が生成する直流電圧が高くなり、光源回路８１０を流れる電流が増加する。逆に、電流検出電圧が基準電圧より高い場合、制御ＩＣ１２２は、制御信号により、スイッチング素子Ｑ２１のオンデューティを小さくする。その結果、直流直流変換回路１１２が生成する直流電圧が低くなり、光源回路８１０を流れる電流が減少する。これを繰り返すことにより、直流直流変換回路１１２は、定電流動作をする。すなわち、直流直流変換回路１１２から供給された電力により光源回路８１０を流れる電流は、所定の値になる。
【００２３】
制御ＩＣ１２２に制御電源電力が供給されず制御ＩＣ１２２が動作を停止した場合、制御ＩＣ１２２が制御信号を生成しないので、スイッチング素子Ｑ２１はオフのままになる。直流直流変換回路１１２は、定電流動作をしないだけでなく、力率改善回路１１１から切り離され、光源回路８１０に対する電力の供給自体が停止する。
【００２４】
制御電源回路１３０は、制御ＩＣ１２１，１２２などを動作させるための制御電源電力を生成する。制御電源回路１３０は、例えば、力率改善回路１１１が出力した直流電圧から制御電源電力を生成する。上述したように、制御ＩＣ１２１が動作を停止していても力率改善回路１１１は直流電圧を生成するから、制御電源回路１３０は動作し、制御電源電力を生成する。なお、制御電源回路１３０は、力率改善回路１１１が出力した直流電圧ではなく、ダイオードブリッジＤＢが出力した脈流電圧や、電源回路１００が入力した交流電力などから、制御電源電力を生成する構成であってもよい。
制御電源回路１３０の負側出力端子は、電源回路１００内のグランド配線に電気接続している。制御電源回路１３０は、正側出力端子と負側出力端子とを介して、生成した制御電源電力を出力する。
【００２５】
異常検出回路１４０は、光源回路８１０の異常を検出する。異常検出回路１４０は、例えば、光源回路８１０の両端電圧を測定し、測定した両端電圧が所定の値より大きい場合に、光源回路８１０に異常が発生したと判定する。上述したように、直流直流変換回路１１２は、光源回路８１０に所定の電流を流すよう動作する。このため、例えば、光源回路８１０が断線故障により電流が流れない状態に陥ったとすると、制御ＩＣ１２２は、直流直流変換回路１１２が生成する直流電圧を高くして、光源回路８１０を流れる電流を増やそうとする。しかし、光源回路８１０は断線故障しているので、電流は流れない。制御ＩＣ１２２は、直流直流変換回路１１２が生成する直流電圧を更に高くする。これを繰り返して、直流直流変換回路１１２が生成する直流電圧（すなわち、光源回路８１０の両端電圧）が異常に高くなると、異常検出回路１４０の検出閾値を超え、異常検出回路１４０が異常を検出する。
異常検出回路１４０は、例えば、異常電圧検出回路１４１、ラッチ回路１４２を有する。
【００２６】
異常電圧検出回路１４１は、光源回路８１０の両端電圧が所定の値より大きいか否かを示す信号を生成する回路である。異常電圧検出回路１４１は、例えば、２つの分圧抵抗Ｒ４１，Ｒ４２、定電圧ダイオードＺ４３を有する。２つの分圧抵抗Ｒ４１，Ｒ４２は、光源回路８１０の両端電圧を分圧して、光源回路８１０の両端電圧に比例する電圧（以下「分圧電圧」と呼ぶ。）を生成する。定電圧ダイオードＺ４３は、例えばツェナーダイオードであり、所定の降伏電圧より大きい逆電圧が加わると降伏電流が流れる。２つの分圧抵抗Ｒ４１，Ｒ４２が生成した分圧電圧が定電圧ダイオードＺ４３の降伏電圧より大きければ、定電圧ダイオードＺ４３を降伏電流が流れ、分圧電圧が降伏電圧より小さければ降伏電流は流れない。すなわち、定電圧ダイオードＺ４３を流れる電流が異常電圧検出回路１４１の検出結果を表わす信号であり、異常電圧を検出した場合に、定電圧ダイオードＺ４３を電流が流れる。
【００２７】
ラッチ回路１４２は、異常電圧検出回路１４１が異常電圧を検出した場合、その検出結果を記憶する回路である。ラッチ回路１４２は、例えば、抵抗Ｒ５１、コンデンサＣ５２、２つのスイッチング素子Ｑ５３，Ｑ５６、２つの分圧抵抗Ｒ５４，Ｒ５５、整流素子Ｄ５７を有する。
【００２８】
抵抗Ｒ５１とコンデンサＣ５２とは、並列に電気接続している。抵抗Ｒ５１には、コンデンサＣ５２を放電する電流が流れる。これにより、異常電圧を検出していない状態では、コンデンサＣ５２の両端電圧は０になる。
異常電圧を検出すると、定電圧ダイオードＺ４３を降伏電流が流れ、定電圧ダイオードＺ４３を流れた降伏電流がコンデンサＣ５２を充電する。
【００２９】
スイッチング素子Ｑ５３は、例えば、ＮＰＮ型バイポーラトランジスタである。コンデンサＣ５２は、スイッチング素子Ｑ５３のベース−エミッタ間に電気接続している。したがって、コンデンサＣ５２に充電された電圧が所定の電圧（例えば０．６Ｖ）を超えると、スイッチング素子Ｑ５３がオンになる。
スイッチング素子Ｑ５３のコレクタ端子は、２つの分圧抵抗Ｒ５４，Ｒ５５を介して、制御電源回路１３０の正側出力端子に電気接続している。スイッチング素子Ｑ５３がオフの場合、分圧抵抗Ｒ５４，Ｒ５５には電流が流れないので、スイッチング素子Ｑ５３のコレクタ端子の電位は、制御電源回路１３０の正側出力端子の電位とほぼ等しくなる。スイッチング素子Ｑ５３がオンになると、分圧抵抗Ｒ５４，Ｒ５５をコレクタ電流が流れ、スイッチング素子Ｑ５３のコレクタ端子の電位は、ほぼ０になる。
【００３０】
整流素子Ｄ５７は、ダイオードなどの素子であり、例えばショットキーバリアダイオードなど順方向降下電圧が低いものを用いる。整流素子Ｄ５７のカソード端子は、スイッチング素子Ｑ５３のコレクタ端子に電気接続している。これにより、スイッチング素子Ｑ５３がオンになり、コレクタ端子の電位が０になったとき、後述するスイッチング素子Ｑ６１を確実にオフにすることができる。
【００３１】
スイッチング素子Ｑ５６は、例えば、ＰＮＰ型バイポーラトランジスタである。分圧抵抗Ｒ５５は、スイッチング素子Ｑ５６のベース−エミッタ間に電気接続している。分圧抵抗Ｒ５５の両端には、スイッチング素子Ｑ５３のコレクタ電流に比例する電流が流れる。したがって、スイッチング素子Ｑ５３がオフであれば、スイッチング素子Ｑ５６もオフになり、スイッチング素子Ｑ５３がオンであれば、スイッチング素子Ｑ５６もオンになる。
【００３２】
定電圧ダイオードＺ４３を降伏電流が流れ、コンデンサＣ５２を充電して、スイッチング素子Ｑ５３がオンになると、スイッチング素子Ｑ５６もオンになり、スイッチング素子Ｑ５６のコレクタ電流がコンデンサＣ５２を充電する。その後、光源回路８１０の両端電圧が低くなって、定電圧ダイオードＺ４３を降伏電流が流れなくなったとしても、スイッチング素子Ｑ５６のコレクタ電流がコンデンサＣ５２を充電し続けるから、スイッチング素子Ｑ５３はオンのままになる。スイッチング素子Ｑ５３がオンなので、スイッチング素子Ｑ５６もオンのままとなり、コンデンサＣ５２を充電し続ける。すなわち、ラッチ回路１４２は、異常電圧検出回路１４１が異常電圧を検出した場合、そのことを記憶し、異常電圧検出回路１４１が異常電圧を検出しなくなったのちも、その記憶を保持し続ける。
【００３３】
上述したように、制御ＩＣ１２１が動作を停止したのちも、制御電源回路１３０は、制御電源電力を生成し続けるので、スイッチング素子Ｑ５６のコレクタ電流が流れ続け、ラッチ回路１４２の記憶は保持される。
電源スイッチを切るなどして交流電源ＡＣからの電力供給が途絶えると、制御電源回路１３０が停止し、スイッチング素子Ｑ５６のコレクタ電流が流れなくなる。コンデンサＣ５２は、抵抗Ｒ５１を流れる電流により放電し、最初の状態に戻る。これにより、ラッチ回路１４２の記憶は消去される。
【００３４】
スイッチ回路１５０は、例えば、スイッチング素子Ｑ６１、プルアップ抵抗Ｒ６２、２つの分圧抵抗Ｒ６３，Ｒ６４、スイッチング素子Ｑ６５を有する。
【００３５】
スイッチング素子Ｑ６１は、例えばＮＰＮ型バイポーラトランジスタである。スイッチング素子Ｑ６１のベース端子は、整流素子Ｄ５７のアノード端子に電気接続している。プルアップ抵抗Ｒ６２は、スイッチング素子Ｑ６１のベース端子と制御電源回路１３０の正側出力端子との間に電気接続している。
スイッチング素子Ｑ５３がオフで、スイッチング素子Ｑ５３のコレクタ端子の電位が高い場合、整流素子Ｄ５７がオフになるので、スイッチング素子Ｑ６１のベース端子の電位は、プルアップ抵抗Ｒ６２により引き上げられ、スイッチング素子Ｑ６１はオンになる。
スイッチング素子Ｑ５３がオンで、スイッチング素子Ｑ５３のコレクタ端子の電位がほぼ０である場合、整流素子Ｄ５７がオンになる。上述したように整流素子Ｄ５７には、順方向降下電圧が低い素子を用いるので、スイッチング素子Ｑ６１のベース端子の電位もほぼ０になり、スイッチング素子Ｑ６１は、オフになる。
【００３６】
スイッチング素子Ｑ６１のコレクタ端子は、２つの分圧抵抗Ｒ６３，Ｒ６４を介して、制御電源回路１３０の正側出力端子に電気接続している。スイッチング素子Ｑ６１がオンの場合、２つの分圧抵抗Ｒ６３，Ｒ６４をコレクタ電流が流れ、スイッチング素子Ｑ６１のコレクタ端子の電位は、ほぼ０になる。スイッチング素子Ｑ６１がオフの場合、コレクタ電流が流れないので、スイッチング素子Ｑ６１のコレクタ端子の電位は、制御電源回路１３０の正側出力端子の電位とほぼ等しくなる。
分圧抵抗Ｒ６４の両端には、制御電源回路１３０の正側出力端子とスイッチング素子Ｑ６１のコレクタ端子との間の電位差を、分圧抵抗Ｒ６３との分圧比で分圧した電圧が発生する。
【００３７】
スイッチング素子Ｑ６５は、例えばｐＭＯＳＦＥＴである。分圧抵抗Ｒ６４は、スイッチング素子Ｑ６５のゲート−ソース間に電気接続している。スイッチング素子Ｑ６１がオンの場合、分圧抵抗Ｒ６４の両端電圧が高くなるので、スイッチング素子Ｑ６５はオンになる。スイッチング素子Ｑ６１がオフの場合、分圧抵抗Ｒ６４の両端電圧はほぼ０になるので、スイッチング素子Ｑ６５はオフになる。
スイッチング素子Ｑ６５のソース端子は、制御電源回路１３０の正側出力端子に電気接続し、スイッチング素子Ｑ６５のドレイン端子は、２つの制御ＩＣ１２１，１２２の電源入力端子に電気接続している。したがって、スイッチング素子Ｑ６５がオンの場合、制御電源回路１３０が生成した制御電源電力が制御ＩＣ１２１，１２２に供給され、制御ＩＣ１２１，１２２が動作する。スイッチング素子Ｑ６５がオフの場合は、制御電源電力の供給が遮断され、制御ＩＣ１２１，１２２は動作しない。
【００３８】
すなわち、異常電圧検出回路１４１が異常電圧を検出し、ラッチ回路１４２がそのことを記憶している間は、制御ＩＣ１２１，１２２に対する制御電源電力の供給が遮断されて制御ＩＣ１２１，１２２は動作しない。それ以外の場合は、制御ＩＣ１２１，１２２に対して制御電源電力が供給され、制御ＩＣ１２１，１２２が動作する。
【００３９】
光源回路８１０が故障した場合、制御ＩＣ１２２が動作を停止することにより、直流直流変換回路１１２が停止し、故障している光源回路８１０に対して電力が供給されなくなる。これにより、異常電圧の発生を防止することができるので、電源回路１００の故障を防ぐことができる。
【００４０】
光源回路８１０に対する電力の供給を停止することにより、異常電圧検出回路１４１は、異常電圧を検出しなくなる。しかし、異常電圧が検出されたことをラッチ回路１４２が記憶しているので、制御ＩＣ１２２及び直流直流変換回路１１２が動作を停止し、光源回路８１０に対して電力が供給しない状態を保つことができる。
【００４１】
直流直流変換回路１１２の動作を停止するに当たり、直流直流変換回路１１２を制御する制御ＩＣ１２２に対する制御電源電力の供給を停止するので、制御ＩＣ１２２が待機状態のとき消費する無駄な電力損失をなくすことができる。
また、直流直流変換回路１１２の動作を停止するに当たり、その前段の回路である力率改善回路１１１の動作も停止するので、力率改善回路１１１の動作による無駄な電力損失をなくすことができる。
更に、力率改善回路１１１の動作を停止するに当たり、力率改善回路１１１を制御する制御ＩＣ１２１に対する制御電源電力の供給を停止するので、制御ＩＣ１２１が待機状態のとき消費する無駄な電力損失をなくすことができる。
【００４２】
力率改善回路１１１が動作を停止しても、制御電源回路１３０は、制御電源電力を生成することができる。このため、ラッチ回路１４２は、異常検出の記憶を保持することができる。
【００４３】
この実施の形態における電源回路１００は、電力生成回路１１０と、制御回路１２０と、制御電源回路１３０と、異常検出回路１４０と、スイッチ回路１５０とを有する。電力生成回路１１０は、負荷回路（光源回路８１０）に供給する電力を生成する。制御回路１２０は、電力生成回路１１０を制御する。制御電源回路１３０は、制御回路１２０に供給する制御電源電力を生成する。異常検出回路１４０は、負荷回路の異常を検出する。スイッチ回路１５０は、異常検出回路１４０が負荷回路の異常を検出した場合に、制御電源回路１３０が生成した制御電源電力の制御回路１２０に対する供給を遮断する。
制御回路１２０が停止することにより、電力生成回路１１０が電力を生成しなくなり、異常が発生した負荷回路への電力の供給が停止するので、電源回路１００の故障を防ぐことができる。また、制御回路１２０の待機電力など、無駄な電力損失をなくすことができる。
【００４４】
この実施の形態における異常検出回路１４０は、負荷回路の異常を検出した場合に、負荷回路の異常を検出したことを記憶する。
異常検出回路１４０が異常検出を記憶するので、負荷回路への電力供給を停止したことにより異常が検出されなくなった場合でも、電力供給を再開せず、電力供給停止状態を保つことができる。
【００４５】
この実施の形態における制御回路１２０は、負荷回路を流れる電流が所定の電流値になるよう、電力生成回路１１０が負荷回路に供給する電力の電圧を制御する。異常検出回路１４０は、電力生成回路１１０が負荷回路に供給する電力の電圧に基づいて、負荷回路の異常を検出する。
制御回路１２０が電力生成回路１１０を定電流制御する場合、負荷回路が断線故障するなどして所定の電流を流すことができなくなると、電力生成回路１１０は、生成する電力の電圧を上昇させることにより、負荷回路を流れる電流を増やそうとする。そのため、電力生成回路１１０が生成する電力の電圧が異常に高くなる。したがって、電力生成回路１１０が生成する電力の電圧に基づいて異常検出回路１４０が異常を検出することができる。また、異常検出回路１４０が異常を検出した場合に負荷回路への電力供給を停止するので、電力生成回路１１０が生成する電力の電圧が異常検出の閾値より高くなることはなく、電源回路１００の故障を防ぐことができる。
【００４６】
この実施の形態における照明装置８００は、電源回路１００と、供給された電力により点灯する光源（光源素子８１１）を有し、上記電源回路１００に対する負荷回路として上記電力生成回路１１０が生成した電力の供給を受ける光源回路８１０とを有する。
これにより、異常検出時に消灯し、安全かつ電力損失の少ない照明装置８００を実現することができる。
【００４７】
以上説明した電源回路１００は、ＬＥＤ点灯装置である。ＡＣ−ＤＣ変換回路（ダイオードブリッジＤＢ・力率改善回路１１１）は、商用電源（交流電源ＡＣ）を直流電圧に変換する。ＤＣ−ＤＣコンバータ回路（直流直流変換回路１１２）は、ＡＣ−ＤＣ変換回路の出力に接続され、発光ダイオード（光源回路８１０）に電流を供給する。ＤＣ−ＤＣコンバータ制御回路（電流検出回路１２５、制御ＩＣ１２２）は、ＤＣ−ＤＣコンバータ回路を定電流フィードック制御する。制御電源回路１３０は、ＤＣ−ＤＣコンバータ制御回路を動作させるための電力を供給する。出力電圧検出回路（異常電圧検出回路１４１）は、ＤＣ−ＤＣコンバータ回路の出力電圧を検出する。スイッチ部（スイッチ回路１５０）は、出力電圧検出回路が、ＤＣ−ＤＣコンバータ回路の出力電圧が所定電圧以上であることを検出すると、制御電源回路１３０からＤＣ−ＤＣコンバータ制御回路への電力の供給を遮断する。
【００４８】
このように、制御電源回路１３０から制御回路１２０への電力をスイッチ部を介して供給する。スイッチ部の制御により、制御回路１２０への電力供給を遮断し，ＬＥＤ点灯装置をオフする。これにより、簡単な構成で過電圧保護回路を実現できる。ＬＥＤ断線時などの無負荷状態の時に、ＬＥＤ点灯装置の動作を停止し、安全を確保することができる。また、回路部品に高耐圧の部品を使用する必要がなく、回路を小型・軽量にすることができ、製造コストを低減できる。
【００４９】
整流回路（ダイオードブリッジＤＢ）は、商用電源を整流して直流電圧に変換する。昇圧チョッパ回路（力率改善回路１１１）は、直流に変換された電圧を所定電圧に昇圧する。昇圧チョッパ制御回路（制御ＩＣ１２１）は、昇圧チョッパ回路を定電圧フィードバック制御する。ＤＣ−ＤＣコンバータ回路（直流直流変換回路１１２）は、昇圧チョッパ回路の出力に接続され、発光ダイオード（光源回路８１０）に電流を供給する。ＤＣ−ＤＣコンバータ制御回路（電流検出回路１２５、制御ＩＣ１２２）は、ＤＣ−ＤＣコンバータ回路を定電流フィードバック制御する。制御電源回路１３０は、昇圧チョッパ制御回路とＤＣ−ＤＣコンバータ制御回路とを動作させるための電力を供給する。出力電圧検出回路（異常電圧検出回路１４１）は、ＤＣ−ＤＣコンバータ回路の出力電圧を検出する。スイッチ部（スイッチ回路１５０）は、出力電圧検出回路が、ＤＣ−ＤＣコンバータの出力電圧が所定電圧以上であることを検出すると、制御電源回路１３０から昇圧チョッパ制御回路及びＤＣ−ＤＣコンバータ制御回路への電力の供給を遮断する。
【００５０】
以上説明した照明器具（照明装置８００）は、上記ＬＥＤ点灯装置（電源回路１００）と、ＬＥＤ点灯装置が点灯させるＬＥＤ（光源回路８１０、光源素子８１１）とを備える。
【００５１】
照明器具本体８５０の内部には、ＬＥＤ点灯装置（電源回路１００）が収納されている。ＬＥＤ点灯装置は、電源線（配線８８１）、コネクタ８６０を介して商用電源（交流電源ＡＣ）に接続される。ＬＥＤ基板（光源基板８７０）は、照明装置本体８５０の発光面に装着されている。ＬＥＤ基板は、配線８８２によりＬＥＤ点灯装置に接続されている。これにより、照明器具（照明装置８００）を形成する。
【００５２】
ＬＥＤ点灯装置（電源回路１００）は、商用交流電源ＡＣより電力の供給を受けてＬＥＤ（光源素子８１１）を点灯させる装置である。ＬＥＤ点灯装置は、整流回路（ダイオードブリッジＤＢ）、第１インダクタ（チョークコイルＬ１１）、第１スイッチング素子Ｑ１２、ダイオード（整流素子Ｄ１３）、第１平滑コンデンサＣ１４、第２スイッチング素子Ｑ２１，第２インダクタ（チョークコイルＬ２３）、還流ダイオード（整流素子Ｄ２２）、第２平滑コンデンサＣ２４、ＬＥＤ（光源素子８１１）、ＬＥＤ電流検出抵抗Ｒ３１、誤差増幅器Ａ３４、第１制御回路（制御ＩＣ１２２）、第２制御回路（制御ＩＣ１２１）、駆動回路１１３、制御用電源回路（制御電源回路１３０）、スイッチ部（スイッチング素子Ｑ６５）、ラッチ回路１４２、出力電圧検出回路（異常電圧検出回路１４１）を備えている。
【００５３】
整流回路は、商用交流電源から供給される交流電圧を全波整流する。第１インダクタ、第１スイッチング素子Ｑ１２、ダイオード、第１平滑コンデンサＣ１４は、昇圧チョッパ回路（力率改善回路１１１）を構成する。昇圧チョッパ回路は、整流回路で全波整流された直流電圧を昇圧し、平滑化する。なお，昇圧チョッパ回路は、力率を改善する目的で設けられている。第２制御回路は、第１平滑コンデンサＣ１４の電圧を一定電圧に制御する。なお、力率を改善する必要がない場合は、昇圧チョッパ回路構成に代えて、それ以外の直流電圧を生成する回路構成を用いてもよい。例えば、コンデンサインプット形の整流回路でもあってもよい。整流回路は、例えばダイオードブリッジＤＢで構成する。
第２スイッチング素子Ｑ２１、第２インダクタ、還流ダイオード、第２平滑コンデンサＣ２４は、降圧チョッパ回路（直流直流変換回路１１２）を構成する。降圧チョッパ回路は、入力された直流電圧より低い直流電圧を出力するＤＣ−ＤＣコンバータ回路である。降圧チョッパ回路は、昇圧チョッパ回路により昇圧された直流電圧より低い直流電圧をＬＥＤに出力する。還流ダイオードは、第２スイッチング素子がオフのときに、第２インダクタに蓄えられたエネルギーを放出する電流経路として用いる。第２平滑コンデンサＣ２４は、降圧チョッパ回路の直流出力電圧を平滑化する役目を果たす。
【００５４】
ＬＥＤ電流検出抵抗Ｒ３１は、ＬＥＤ電流を電圧信号に変換する。ＬＥＤ電流検出抵抗Ｒ３１が変換した信号は、誤差増幅器Ａ３４が入力する。誤差増幅器Ａ３４は、検出した信号レベルをＬＥＤ電流目標値（基準電圧源Ｖ３５）と比較し、目標値との誤差分を増幅して出力する。誤差増幅器Ａ３４が出力した信号は、第１制御回路が入力する。
第１制御回路は、誤差増幅器Ａ３４からの信号に基づいて、第２スイッチング素子Ｑ２１のデューティ比を決定する。駆動回路１１３は、第１制御回路から出力されるスイッチング素子Ｑ２１のオン・オフ信号（ゲート信号）に基づき第２スイッチング素子Ｑ２１を駆動する。駆動回路１１３は、例えばゲート信号を伝達するパルストランスやフォトカプラ等が用いられる。制御用電源回路は、第１制御回路及び第２制御回路に制御電源を供給する。制御用電源回路は、例えば、第１平滑コンデンサＣ１４の接続点より昇圧チョッパ回路の出力電圧を入力する。制御用電源回路は、これを、第１制御回路及び第２制御回路を駆動するのに適した電圧に変換し、出力する。スイッチ部は、第１制御回路及び第２制御回路への制御電源の供給・遮断を制御する。スイッチ部は、例えば、ＭＯＳＦＥＴを用いる。
【００５５】
ＬＥＤ点灯装置に商用交流電源を投入すると、整流回路は、商用交流電源から供給される交流電圧を整流し、直流電圧を生成する。得られた直流電圧は、第１平滑コンデンサＣ１４の接続点より制御用電源回路に供給される。制御用電源回路は、これを最適な電圧に変換し、第１制御回路及び第２制御回路に電力を供給する。第２制御回路に制御電源が投入されると、第１インダクタ、スイッチング素子Ｑ１２、ダイオード、第１平滑コンデンサＣ１４より構成される昇圧チョッパ回路が動作を開始し，整流回路によって得られた直流電圧を昇圧する。
第１制御回路に制御電源が投入されると、第２スイッチング素子Ｑ２１、第２インダクタ、還流ダイオード，第２平滑コンデンサＣ２４からなる降圧チョッパ回路が動作を開始し、ＬＥＤ点灯に必要な電流をＬＥＤに供給する。第２スイッチング素子Ｑ２１がオンすると、第２インダクタを介して第２平滑コンデンサＣ２４が充電される。このとき、第２インダクタには同時にエネルギーが蓄えられる。次に、第２スイッチング素子がオフすると、第２インダクタに蓄えられたエネルギーにより第２インダクタ→第２平滑コンデンサＣ２４→還流ダイオード→第２インダクタの経路で電流が流れ、第２平滑コンデンサＣ２４が充電される。第２スイッチング素子Ｑ２１は、オン・オフ動作により、この動作を高速に繰り返す。第２平滑コンデンサＣ２４によりＬＥＤに流れる電流のリップル成分を小さくすることができ、ＬＥＤ電流のピーク値が最大定格電流をオーバーすることを抑制できる。
【００５６】
ＬＥＤ電流は、電流検出抵抗Ｒ３１により検出される。検出された信号は、誤差増幅器Ａ３４が入力する。誤差増幅器Ａ３４は、入力した信号と目標ＬＥＤ電流値と比較する。誤差増幅器Ａ３４は、２つの入力信号レベルの誤差分を増幅して出力する。誤差増幅器Ａ３４が出力した信号は、第１制御回路が入力する。第１制御回路は、入力した信号に応じてＬＥＤ電流の検出信号と目標ＬＥＤ電流値との差分が小さくなる方向に第２スイッチング素子Ｑ２１のデューティ比を制御して、定電流フィードバック制御を行う。
【００５７】
何らかの原因によりＬＥＤが断線し、またはＬＥＤが接続されていない状態で電源が投入された場合、ＬＥＤ電流はゼロとなる。しかし、定電流制御のため、電流を流そうと降圧チョッパの第２のスイッチング素子Ｑ２１のオンデューティが増加し、出力電圧が急激に上昇する。回路部品に出力電圧上昇に伴う過電圧が印加され、最悪故障に至る可能性がある。
【００５８】
出力電圧検出回路は、分圧抵抗Ｒ４１，Ｒ４２、ツェナーダイオード（定電圧ダイオードＺ４３）からなり、降圧チョッパ回路の出力電圧を検出する。出力電圧検出回路は、過電圧が発生した場合、ラッチ回路１４２のトランジスタ（スイッチング素子Ｑ５３）をオンする信号を出力する。すなわち、出力電圧は、分圧抵抗Ｒ４１，Ｒ４２により分圧され、分圧された電圧がツェナーダイオードに印加される。出力電圧が所定電圧を超えると、ツェナーダイオードが導通し、トランジスタ（スイッチング素子Ｑ５３）のベース端子にベース電流が流れ、トランジスタ（スイッチング素子Ｑ５３）がオンする。すると、スイッチ部のゲート端子に接続されたトランジスタ（スイッチング素子Ｑ６１）のベース端子がグランド電位に落とされるため、トランジスタ（スイッチング素子Ｑ６１）はオフし、スイッチ部がオフする。スイッチ部がオフすると、スイッチ部の後段に接続された第１制御回路及び第２制御回路への制御電源の供給が遮断される。このため、昇圧チョッパ回路の第１スイッチング素子Ｑ１２と降圧チョッパ回路の第２スイッチング素子Ｑ２１は直ちにオフされ、出力電圧が低下する。ラッチ回路１４２のラッチ状態を維持するための電源は、スイッチ部の前段より供給される。このため、スイッチ部はオフ状態を維持し、昇圧チョッパ回路と降圧チョッパ回路はオフ状態を維持する。これにより、出力電圧上昇に伴う回路部品へのストレスを軽減でき、故障に至ることを防止できる。
【００５９】
以上のように、第１制御回路と第２制御回路の制御電源をスイッチ部を介して供給するため、スイッチ部の制御のみで、第１制御回路と第２制御回路の両方を同時にオフすることができる。これにより、簡単な構成で過電圧保護回路を実現できる。ＬＥＤ断線時などの無負荷状態の時に、ＬＥＤ点灯装置の動作を停止し、安全を確保することができる。また、回路部品に高耐圧の部品を使用する必要がなく、回路を小型・軽量にすることができ、コストを低減できる。
なお，力率改善が必要ない場合は、昇圧チョッパ回路はなくてもよい。その代わり、例えばコンデンサインプット型整流回路を用いる。その場合、第２制御回路は必要ない。ＬＥＤ断線時などの無負荷時は、第１制御回路の制御電源のみ、供給を遮断すればよい。
【００６０】
実施の形態２．
実施の形態２について、図４〜図５を用いて説明する。
なお、実施の形態１と共通する部分については、同一の符号を付し、説明を省略する。
【００６１】
図４は、この実施の形態における照明装置８００の全体構成の一例を示すシステム構成図である。
照明装置８００は、実施の形態１で説明した構成に加えて、更に、コントローラ８２０を有する。
コントローラ８２０は、利用者の操作により、光源の点灯・消灯・調光などの指示を入力する。コントローラ８２０は、入力した指示の内容を表わす指示信号を生成する。コントローラ８２０は、例えばリモコンである。指示信号は、例えばパルス幅変調（以下「ＰＷＭ」と呼ぶ。）された調光信号である。
【００６２】
電源回路１００は、実施の形態１で説明した構成に加えて、更に、指示入力回路１６０を有する。
指示入力回路１６０は、コントローラ８２０が生成した指示信号を入力する。指示入力回路１６０は、入力した指示信号が表わす指示の内容にしたがって、制御回路１２０やスイッチ回路１５０を制御する信号を生成する。
制御回路１２０やスイッチ回路１５０は、指示入力回路１６０が生成した信号にしたがって動作することにより、光源を点灯し、消灯し、あるいは調光する。
【００６３】
図５は、この実施の形態における電源回路１００及び光源回路８１０の回路構成の一例を示す回路構成図である。
【００６４】
指示入力回路１６０は、例えば、フォトカプラＰＣ、信号変換回路１６１を有する。
フォトカプラＰＣは、コントローラ８２０から入力した指示信号により発光するＬＥＤと、ＬＥＤが発した光を受光するフォトトランジスタとを有し、コントローラ８２０と電源回路１００とを電気的に分離しつつ、指示信号を伝達する。
信号変換回路１６１は、フォトカプラＰＣが伝達した指示信号に基づいて、制御回路１２０を制御する信号（以下「制御回路制御信号」と呼ぶ。）と、スイッチ回路１５０を制御する信号（以下「スイッチ回路制御信号」と呼ぶ。）とを生成する。信号変換回路１６１は、制御回路制御信号を制御回路制御信号出力端子から出力し、スイッチ回路制御信号をスイッチ回路制御信号出力端子から出力する。
制御回路制御信号は、例えば利用者が指示した調光度を表わす。例えば、信号変換回路１６１は、制御回路制御信号出力端子の電位を、利用者が指示した調光度に比例した電位（例えば、調光度１００％のとき４Ｖ、調光度５０％のとき２Ｖなど）にする。
スイッチ回路制御信号は、例えば利用者が指示した点灯消灯の区別を表わす。例えば、信号変換回路１６１は、スイッチ回路制御信号出力端子の電位を、点灯時は高電位（例えば３Ｖ）、消灯時は低電位（例えば０Ｖ）にする。
【００６５】
電流検出回路１２５は、基準電圧源Ｖ３５を有さず、その代わり、増幅器Ａ３４の正側入力端子は、信号変換回路１６１の制御回路制御信号出力端子に電気接続している。すなわち、電流検出回路１２５は、信号変換回路１６１の制御回路制御信号出力端子の電位を基準電圧として動作する。
これにより、利用者が指示した調光度が高ければ、制御ＩＣ１２２の制御により、光源回路８１０を流れる電流が大きくなり、光源素子８１１が明るく点灯する。逆に、利用者が指示した調光度が低ければ、制御ＩＣ１２２の制御により、光源回路８１０を流れる電流が小さくなり、光源素子８１１が暗く点灯する。
【００６６】
スイッチ回路１５０において、プルアップ抵抗Ｒ６２は、制御電源回路１３０の正側出力端子ではなく、信号変換回路１６１のスイッチ回路制御信号出力端子に電気接続している。
信号変換回路１６１のスイッチ回路制御信号出力端子の電位が高電位の場合、すなわち、利用者が光源の点灯を指示した場合、スイッチ回路１５０は、実施の形態１と同様に動作する。すなわち、異常検出回路１４０が異常を検出せず、異常検出を記憶もしていない場合は、スイッチング素子Ｑ６５がオンになり、制御電源回路１３０が生成した制御電源電力が制御ＩＣ１２１，１２２に対して供給され、制御ＩＣ１２１，１２２が動作する。異常検出回路１４０が異常を検出し、あるいは異常検出を記憶している場合は、スイッチング素子Ｑ６５がオフになり、制御電源回路１３０が生成した制御電源電力を遮断する。制御ＩＣ１２１，１２２は、動作に必要な電力を失い、動作を停止する。
信号変換回路１６１のスイッチ回路制御信号出力端子の電位が低電位の場合、すなわち、利用者が光源の消灯を指示した場合、スイッチング素子Ｑ６１のベース電位がプルアップされないので、異常検出回路１４０による異常検出の有無にかかわらず、スイッチング素子Ｑ６１は、オフになる。したがって、スイッチング素子Ｑ６５もオフになり、制御電源回路１３０が生成した制御電源電力を遮断する。制御ＩＣ１２１，１２２は、動作に必要な電力を失い、動作を停止する。
【００６７】
これにより、異常検出回路１４０が異常を検出したときだけでなく、利用者が消灯を指示したときも、制御ＩＣ１２１，１２２に対する制御電源電力の供給を遮断することにより光源回路８１０への電力供給を停止するので、消灯中の待機電力を抑えることができる。
また、利用者の指示による消灯時と異常検出時との両方の場合に、スイッチ回路１５０を利用して光源回路８１０への電力供給を停止するので、電源回路１００の部品数を削減し、回路構成を簡略化することができる。これにより、電源回路１００の製造コストを抑え、信頼性を向上することができる。
【００６８】
この実施の形態における電源回路１００は、更に、指示入力回路１６０を有する。指示入力回路１６０は、電力生成回路１１０が上記負荷回路（光源回路８１０）に供給する電力を指示する指示信号を入力する。制御回路１２０は、指示入力回路１６０が入力した指示信号にしたがって、電力生成回路１１０が負荷回路に供給する電力を制御する。スイッチ回路１５０は、更に、指示入力回路１６０が入力した指示信号が、負荷回路に電力を供給しないことを指示する場合に、制御電源回路１３０が生成した制御電源電力の制御回路１２０に対する供給を遮断する。
【００６９】
これにより、電源回路１００の電力損失を抑え、製造コストを抑え、信頼性を向上することができる。
【００７０】
以上説明したＬＥＤ点灯装置（電源回路１００）は、外部より入力される調光信号（指示信号）に応じて発光ダイオード（光源素子８１１）の明るさを調節する調光点灯を行う。発光ダイオードの消灯を指示する調光信号が入力されたとき、スイッチ部（スイッチ回路１５０）は、ＤＣ−ＤＣコンバータ制御回路（制御ＩＣ１２２）への電力の供給を遮断する。
【００７１】
ＬＥＤ点灯装置は、外部より入力される調光信号に応じて発光ダイオードの明るさを調節する調光点灯を行う。発光ダイオードの消灯を指示する調光信号が入力されたとき、スイッチ部は、昇圧チョッパ制御回路（制御ＩＣ１２１）およびＤＣ−ＤＣコンバータ制御回路への電力の供給を遮断する。
【００７２】
ＬＥＤ点灯装置は、調光機能を有し、外部からの調光信号（指示信号）によりＬＥＤを点灯・消灯する。
調光信号は、外部に設けられた調光コントローラ８２０から出力されるＰＷＭ信号である。ＬＥＤ点灯装置は、調光信号を入力する。入力したＰＷＭ信号は、フォトカプラＰＣを介して絶縁され、ＰＷＭ／ＤＣ変換回路（信号変換回路１６１）が直流信号に変換する。変換した直流信号は、定電流フィードバック制御を行う誤差増幅器Ａ３４が入力し、調光時のＬＥＤ電流目標値として利用する。調光信号のデューティ比を変化させることにより、目標ＬＥＤ電流値が変化することになり、定電流フィードバック制御により、ＬＥＤは設定されたＬＥＤ電流で調光点灯を行う。
【００７３】
外部より入力する調光信号によりＬＥＤを消灯する場合、調光信号をデューティ１００％信号とする。これをＬＥＤ点灯装置が判別して、消灯信号と解釈し、ＬＥＤを消灯する。調光信号がそれ以外のデューティ比の場合、ＬＥＤ点灯装置は、そのデューティ比に応じた調光率でＬＥＤを点灯する。このようにして、調光信号による消灯及び調光点灯制御を行う。
【００７４】
調光コントローラ８２０よりデューティ１００％の調光信号すなわち消灯信号を入力した場合、ＰＷＭ／ＤＣ変換回路は、トランジスタ（スイッチング素子Ｑ６１）をオフする信号を出力する。これにより、スイッチ部をオフする。第１制御回路（制御ＩＣ１２２）及び第２制御回路（制御ＩＣ１２１）への制御電源の供給が遮断され、ＬＥＤは消灯する。デューティ１００％以外の信号が入力された場合、ＰＷＭ／ＤＣ変換回路は、トランジスタ（スイッチング素子Ｑ６１）をオンにする。これにより、スイッチ部をオンする。第１制御回路及び第２制御回路に制御電源が制御用電源回路（制御電源回路１３０）より供給され、ＬＥＤは点灯する。
【００７５】
また、トランジスタ（スイッチング素子Ｑ６１）のベース端子には、実施の形態１と同様、出力電圧検出回路（異常電圧検出回路１４１）とラッチ回路１４２とからなる過電圧保護回路（異常検出回路１４０）が接続されている。何らかの原因によりＬＥＤが断線し、またはＬＥＤが接続されていない状態で電源が投入された場合、出力電圧が上昇したことを出力電圧検出回路が検出する。ラッチ回路１４２が動作して、トランジスタ（スイッチング素子Ｑ５３）がオンする。これによりトランジスタ（スイッチング素子Ｑ６１）のベース端子がグラウンド電位に落とされる。トランジスタ（スイッチング素子Ｑ６１）がオフし、スイッチ部がオフする。これにより、第１制御回路及び第２制御回路への制御電源供給が断たれ、昇圧チョッパ回路及び降圧チョッパ回路は動作を停止する。
【００７６】
ラッチ回路１４２において、一度トランジスタ（スイッチング素子Ｑ５３）がオン状態になると、トランジスタ（スイッチング素子Ｑ６１）は、オフ状態が維持される。このため、第１制御回路及び第２制御回路への制御電源の供給が断たれた状態を維持する。トランジスタ（スイッチング素子Ｑ６１）は、調光信号からの消灯・点灯制御にも使用されるが、過電圧保護により動作を停止した後は、ラッチ回路１４２がトランジスタ（スイッチング素子Ｑ６１）のオフ状態を維持する。このため、たとえ調光コントローラ８２０からＬＥＤを点灯する信号を入力しても、過電圧保護の動作が最優先される。トランジスタ（スイッチング素子Ｑ６１）がオンすることはない。したがって、調光コントローラ８２０の信号で、再び昇圧チョッパ及び降圧チョッパが動作を開始することはない。
【００７７】
以上のように、制御調光コントローラ８２０からの信号により、第１制御回路及び第２制御回路への制御電源の供給を遮断して点灯・消灯を行う制御と、過電圧による保護動作として，第１制御回路及び第２制御回路への制御電源の供給を遮断する制御を、スイッチ部のオン・オフ制御のみで簡単に実現することができる。したがって、回路構成を簡単にすることができ、回路の小型・軽量化、低コスト化を実現することができる。
また，出力電圧検出回路にはラッチ回路１４２が接続されているため、一度過電圧保護が働くと、ＬＥＤ点灯装置はオフ状態を維持する。調光コントローラ８２０の信号は無効となり、調光コントローラ８２０からの信号により、再び昇圧チョッパと降圧チョッパがオンすることはない。すなわち、安全面が最優先される。
なお，力率改善が必要ない場合は，昇圧チョッパ回路はなくてもよい。その代わり、例えばコンデンサインプット型整流回路を用いる。その場合、第２制御回路は必要ない。調光信号にて消灯する場合や、ＬＥＤ断線時などの無負荷時は、第１制御回路の制御電源のみ、供給を遮断すればよい。
【００７８】
実施の形態３．
実施の形態３について、図６〜図７を用いて説明する。
なお、実施の形態１と共通する部分については、同一の符号を付し、説明を省略する。
【００７９】
図６は、この実施の形態における電源回路１００及び光源回路８１０の回路構成の一例を示す回路構成図である。
コントローラ８２０は、電源回路１００と共通の交流電源ＡＣから電力の供給を受けて動作する。交流電源ＡＣには、直列にスイッチＳＷが接続している。スイッチＳＷをオフにすると、交流電源ＡＣからの電力の供給が遮断され、電源回路１００及びコントローラ８２０は、動作しない。スイッチＳＷをオンにすると、交流電源ＡＣからの電力が供給され、電源回路１００及びコントローラ８２０が動作する。
【００８０】
電源回路１００は、実施の形態２で説明した構成に加えて、更に、電源検出回路１７０、遅延回路１８０を有する。
スイッチ回路１５０は、実施の形態２で説明した構成に加えて、更に、スイッチング素子Ｑ６６を有する。スイッチング素子Ｑ６６は、例えばＮＰＮ型バイポーラトランジスタである。スイッチング素子Ｑ６６のコレクタ端子は、スイッチング素子Ｑ６１のベース端子に電気接続している。スイッチング素子Ｑ６６のエミッタ端子は、スイッチング素子Ｑ６１のエミッタ端子に電気接続している。スイッチング素子Ｑ６６がオンになると、スイッチング素子Ｑ６６のコレクタ電流がプルアップ抵抗Ｒ６２を流れ、スイッチング素子Ｑ６６のコレクタ端子の電位（＝スイッチング素子Ｑ６１のベース端子の電位）は、ほぼ０になる。このため、スイッチング素子Ｑ６１は、オフになる。
【００８１】
電源検出回路１７０は、交流電源ＡＣから電力が供給されているか否かを検出する。電源検出回路１７０は、例えば、２つの整流素子Ｄ７１，Ｄ７２、２つの分圧抵抗Ｒ７３，Ｒ７４、定電圧ダイオードＺ７５を有する。整流素子Ｄ７１，Ｄ７２は、ハーフブリッジを構成し、ダイオードブリッジＤＢと、負電圧側の２つの整流素子を共有して、交流電源ＡＣの電圧波形を全波整流する。
２つの分圧抵抗Ｒ７３，Ｒ７４は、整流素子Ｄ７１，Ｄ７２が全波整流した脈流電圧を分圧する。定電圧ダイオードＺ７５は、例えばツェナーダイオードである。定電圧ダイオードＺ７５は、分圧抵抗Ｒ７４に並列に電気接続している。このため、分圧抵抗Ｒ７４の両端電圧の上限は、定電圧ダイオードＺ７５の降伏電圧（例えば３Ｖ）に抑えられる。電源検出回路１７０は、分圧抵抗Ｒ７４の両端電圧を、交流電源ＡＣから電力が供給されているか否かを表わす信号（以下「電源供給信号」と呼ぶ。）として出力する。例えば、交流電源ＡＣから電力が供給されていれば、分圧抵抗Ｒ７４の両端電圧は高くなり（例えば３Ｖ）、交流電源ＡＣから電力が供給されていなければ、分圧抵抗Ｒ７４の両端電圧は低くなる（例えば０Ｖ）。
【００８２】
遅延回路１８０は、入力端子から入力した信号を所定時間（例えば０．１秒）遅延させ、反転して出力端子から出力する。遅延回路１８０の入力端子は、分圧抵抗Ｒ７３，Ｒ７４の接続点に電気接続している。すなわち、遅延回路１８０は、電源供給信号を入力する。遅延回路１８０の出力端子は、スイッチング素子Ｑ６６のベース端子に電気接続している。すなわち、遅延回路１８０は、入力端子の電位が低電位から高電位に変わると、所定時間遅れて、出力端子の電位が高電位から低電位に変化する。
また、遅延回路１８０は、制御電源回路１３０が生成した制御電源電力を電源として動作する。制御電源回路１３０が制御電源電力を生成していない場合、遅延回路１８０は動作せず、出力端子の電位は低電位となる。
【００８３】
スイッチＳＷがオフのとき、電源検出回路１７０は電力供給を検出せず、遅延回路１８０の入力端子は、低電位となる。また、制御電源回路１３０は、制御電源電力を生成せず、制御ＩＣ１２１，１２２、遅延回路１８０は、動作しない。したがって、遅延回路１８０の入力端子の電位にかかわらず、遅延回路１８０の出力端子の電位は、低電位となる。
【００８４】
スイッチＳＷがオンになり、制御電源回路１３０が制御電源電圧の生成を開始すると、その供給を受けて、制御ＩＣ１２１，１２２、遅延回路１８０が動作を開始する。スイッチＳＷがオンになる前、遅延回路１８０の入力端子の電位は低かったので、遅延回路１８０の出力端子の電位は、それを反転した高電位になる。
スイッチＳＷがオンになると同時に、電源検出回路１７０が電力供給を検出し、遅延回路１８０の入力端子は、高電位となる。遅延時間が経過したのち、遅延回路１８０の出力端子は、それを反転した低電位に変化する。
【００８５】
スイッチＳＷがオンになった直後、遅延回路１８０の出力端子は高電位なので、スイッチング素子Ｑ６６がオンになる。これにより、スイッチング素子Ｑ６１，Ｑ６５がオフになり、制御電源回路１３０が生成した制御電源電力を遮断し、制御ＩＣ１２１，１２２は動作しない。
遅延時間が経過すると、遅延回路１８０の出力端子が低電位になるので、スイッチング素子Ｑ６６はオフになる。これにより、スイッチ回路１５０は、実施の形態２と同様に動作する。すなわち、異常電圧検出回路１４１が異常を検出した場合、そのことをラッチ回路１４２が記憶している場合、および、コントローラ８２０が入力した利用者の指示が消灯指示である場合に、スイッチング素子Ｑ６１，Ｑ６５がオフになり、制御電源回路１３０が生成した制御電源電力を遮断し、制御ＩＣ１２１，１２２は動作しない。それ以外の場合、すなわち、異常電圧検出回路１４１が異常を検出せず、かつ、ラッチ回路１４２が異常検出を記憶もしていないで、更に、コントローラ８２０が入力した利用者の指示が（全光あるいは調光）点灯である場合、スイッチング素子Ｑ６１，Ｑ６５がオンになり、制御電源回路１３０が生成した制御電源電力が制御ＩＣ１２１，１２２に供給される。
【００８６】
これにより、電源回路１００は、電源投入直後は光源を点灯せず、遅延時間が経過したのちに光源を点灯させる。
例えば、利用者があらかじめコントローラ８２０を操作して、常に５０％の調光点灯をするよう指示をして、コントローラ８２０がそのことを記憶していたとする。コントローラ８２０は、電源投入直後から、５０％調光を指示する指示信号を生成することが期待されるが、コントローラ８２０によっては、電源投入後の初期化などに時間がかかり、すぐには指示信号を生成しない可能性がある。ＰＷＭ調光信号においては一般に、信号なしは１００％点灯を意味する。コントローラ８２０が指示信号を生成しない状態を指示入力回路１６０が１００％点灯の意味に誤解したとしても、遅延時間が経過するまで光源を点灯しないので、光源が誤って１００％点灯することはない。コントローラ８２０が指示信号の生成を開始するのにかかる時間よりも長い遅延時間を設定しておけば、遅延時間経過時には、コントローラ８２０が指示信号を既に生成しているので、指示入力回路１６０はその指示信号を正しく理解し、電源回路１００は、光源を指示どおりの明るさで点灯する。
【００８７】
このように、電源投入から所定時間が経過するまでの間は、光源を点灯しないことにより、光源が誤った明るさで点灯するのを防ぐことができる。
これにより、異常検出回路１４０が異常を検出したときや、利用者が消灯を指示したときだけでなく、電源投入から所定時間が経過するまでの間も、制御ＩＣ１２１，１２２に対する制御電源電力の供給を遮断することにより光源回路８１０への電力供給を停止するので、消灯中の待機電力を抑えることができる。
また、利用者の指示による消灯時や異常検出時だけでなく、電源投入から所定時間経過するまでの間も、スイッチ回路１５０を利用して光源回路８１０への電力供給を停止するので、電源回路１００の部品数を削減し、回路構成を簡略化することができる。これにより、電源回路１００の製造コストを抑え、信頼性を向上することができる。
【００８８】
この実施の形態における電源回路１００において、電力生成回路１１０は、電源（交流電源ＡＣ）から供給された電力を変換して、負荷回路（光源回路８１０）に供給する電力を生成する。
スイッチ回路１５０は、更に、電源からの電力供給が開始してから所定の時間が経過するまでの間、制御電源回路１３０が生成した制御電源電力の制御回路１２０に対する供給を遮断する。
これにより、光源の異常点灯を防ぎ、電源回路１００の電力損失を抑え、製造コストを抑え、信頼性を向上することができる。
【００８９】
以上説明したＬＥＤ点灯装置（電源回路１００）において、商用電源検出回路１７０は、商用電源が投入されたことを検出する。スイッチ手段制御回路（遅延回路１８０）は、商用電源検出回路１７０により商用電源が投入されたことを検出した場合、所定期間、昇圧チョッパ制御回路（制御ＩＣ１２１）やＤＣ−ＤＣコンバータ制御回路（制御ＩＣ１２２）への電力の供給を遮断するようにスイッチ部（スイッチ回路１５０）を制御し、所定期間が経過した後、昇圧チョッパ制御回路やＤＣ−ＤＣコンバータ制御回路へ電力を投入するようにスイッチ部を制御する。
【００９０】
ＬＥＤ点灯装置は、商用電源電圧検出回路（電源検出回路１７０）及び点灯遅延回路１８０を有し、商用電源投入時，ＬＥＤの点灯を所定時間遅延させる機能を有する。
【００９１】
電源電圧検出回路は、電源検出抵抗（分圧抵抗Ｒ７３，Ｒ７４）、ツェナーダイオード（定電圧ダイオードＺ７５）で構成される。電源検出抵抗は、電源電圧を分圧して検出する。ツェナーダイオードは、分圧された電圧を一定電圧に保つ働きをする。検出された電源電圧検出信号は、点灯遅延回路１８０が入力する。点灯遅延回路１８０の出力は、トランジスタ（スイッチング素子Ｑ６６）のベース端子に接続され、トランジスタ（スイッチング素子Ｑ６６）をオン・オフする。
【００９２】
商用電源を投入することにより調光コントローラ８２０とＬＥＤ点灯装置とに同時に商用電源が投入される場合、商用電源を投入してから、調光コントローラ８２０が起動して調光信号の出力を開始するまでの時間と、ＬＥＤ点灯装置が起動してＬＥＤが点灯を開始するまでの時間にずれが生じる場合がある。例えば、商用電源を投入し，調光コントローラ８２０が調光信号を出力する前に、ＬＥＤが点灯する場合がある。
【００９３】
このような場合、ＬＥＤ点灯装置に調光信号が入力されずに点灯する期間が生じる。調光信号が入力されない期間においては、ＬＥＤ点灯装置は１００％出力で点灯（全光点灯）する。例えば、調光状態でＬＥＤの点灯を開始しようとした場合、商用電源を投入して，調光コントローラ８２０が調光信号を出力する前の期間のみ、瞬間的に全光状態で点灯する。調光コントローラ８２０が調光信号の出力を開始すれば、設定した調光率にて点灯するが、電源投入直後は、瞬間的に全光で点灯するため、閃光する状態となり、非常に不快感となる。
それを防ぐため、電源電圧検出回路と点灯遅延回路とを設ける。電源投入直後、所定期間、ＬＥＤの点灯を遅延させ、調光コントローラ８２０が調光信号をＬＥＤ点灯装置に入力するまでＬＥＤを点灯させないようにする。
【００９４】
図７は、この実施の形態におけるＬＥＤ点灯装置の動作の流れを示すフローチャート図である。
【００９５】
まず、商用交流電源がＬＥＤ点灯装置に投入されると、電源検出抵抗に電源電圧が印加される。電源電圧は、電源検出抵抗により分圧され、ツェナーダイオードにより一定電圧に固定される。ダイオード（整流素子Ｄ７１，Ｄ７２）は、商用交流電源を整流し、直流電圧として検出するための整流用ダイオードである。検出された電源電圧検出信号は、点灯遅延回路１８０が入力する。点灯遅延回路１８０は、電源電圧を検出すると、直ちにトランジスタ（スイッチング素子Ｑ６６）をオンする信号を出力する。トランジスタ（スイッチング素子Ｑ６６）がオンすると、トランジスタ（スイッチング素子Ｑ６１）のベース電位がグラウンドレベルに落とされる。トランジスタ（スイッチング素子Ｑ６１）はオフし、スイッチ部はオフ状態となる。第１制御回路及び第２制御回路への制御電源の供給は遮断された状態となり、ＬＥＤは点灯しない。点灯遅延回路１８０は、所定期間、トランジスタ（スイッチング素子Ｑ６６）をオン状態として維持するため、この期間ではＬＥＤは消灯状態を維持する。
【００９６】
ＬＥＤが点灯遅延回路１８０により消灯している間に、調光コントローラ８２０が起動し、ＬＥＤ点灯装置に調光信号を入力する。所定時間経過後、点灯遅延回路１８０は、トランジスタ（スイッチング素子Ｑ６６）をオフする。調光信号が消灯を指示するデューティ１００％信号以外のときは、トランジスタ（スイッチング素子Ｑ６１）のベース端子に、ＰＷＭ／ＤＣ変換回路（信号変換回路１６１）がトランジスタ（スイッチング素子Ｑ６１）をオンするベース電流を供給する。このため，点灯遅延回路１８０によりトランジスタ（スイッチング素子Ｑ６６）がオフすると、トランジスタ（スイッチング素子Ｑ６１）にベース電流が流れ、トランジスタ（スイッチング素子Ｑ６１）がオンする。スイッチ部がオンし，第１制御回路及び第２制御回路に制御電源が供給されて、ＬＥＤは点灯を開始する。このように、電源投入時、第１制御回路及び第２制御回路への制御電源投入を遅延することにより、容易にＬＥＤの点灯を遅延することができる。ＬＥＤが点灯を開始する前に、調光信号がＬＥＤ点灯装置に入力されるため、電源投入直後に瞬間的に全光で点灯する閃光現象を防止することができる。ＬＥＤ点灯中に、調光コントローラ８２０がＬＥＤの消灯を指示するデューティ１００％の信号を出力したときは、トランジスタ（スイッチング素子Ｑ６１）のベース電流がＰＷＭ／ＤＣ変換回路により遮断され、ＬＥＤが消灯する。
【００９７】
また、トランジスタ（スイッチング素子Ｑ６１）のベース端子には、出力電圧検出回路（異常電圧検出回路１４１）とラッチ回路１４２とからなる過電圧保護回路（異常検出回路１４０）が接続されている。何らかの原因により、ＬＥＤが断線し、またはＬＥＤが接続されていない状態で電源が投入された場合、出力電圧が上昇したことを出力電圧検出回路が検出する。ラッチ回路１４２は、トランジスタ（スイッチング素子Ｑ６１）のベース端子をグラウンド電位に落とす。トランジスタ（スイッチング素子Ｑ６１）がオフし，スイッチ部がオフする。第１制御回路及び第２制御回路への制御電源供給が断たれ、昇圧チョッパ回路及び降圧チョッパ回路は動作を停止する。
【００９８】
以上のように、商用電源投入時、第１制御回路及び第２制御回路への制御電源の供給を遅延させる。これにより、ＬＥＤ点灯装置に調光信号が入力されるまでの間、容易にＬＥＤの点灯を遅延させることができ、電源投入直後に瞬間的に全光で点灯する閃光現象を防止することができる。
また、ＬＥＤの点灯を遅延する制御と、調光コントローラ８２０からの信号により第１制御回路及び第２制御回路への制御電源の供給を遮断して点灯・消灯を行う回路と、出力電圧の過電圧保護動作として第１制御回路及び第２制御回路への制御電源の供給を遮断する回路とを、スイッチ部で共通化できる。このため、回路構成を簡単にすることができ、回路の小型・軽量化、低コスト化を実現することができる。
なお，力率改善が必要ない場合は、昇圧チョッパ回路はなくてもよい。その代わり、例えばコンデンサインプット型整流回路を用いる。その場合、第２制御回路は必要ない。ＬＥＤの点灯を遅延する場合や調光信号にて消灯する場合およびＬＥＤ断線時などの無負荷時は、第１制御回路の制御電源のみ、供給を遮断すればよい。
【００９９】
以上のように、照明器具にＬＥＤ点灯装置を組み込む。ＬＥＤ点灯装置は、商用電源投入時、所定期間ＬＥＤの点灯を遅延する回路と，調光コントローラ８２０からの信号により点灯・消灯を行う回路と，何らかの原因によりＬＥＤが断線し、またはＬＥＤが接続されていない状態で電源が投入された場合の過電圧保護動作として、ＬＥＤ点灯装置の動作を停止する回路を共通化できる。このため、回路構成を簡単にすることができ、さらに過電圧保護回路により回路部品に高耐圧の部品を使用する必要がなくなるため、照明器具を小型・軽量化、低コスト化を実現することができる。
【符号の説明】
【０１００】
１００  電源回路、１１０  電力生成回路、１１１  力率改善回路、１１２  直流直流変換回路、１１３  駆動回路、１２０  制御回路、１２１，１２２  制御ＩＣ、１２５  電流検出回路、１３０  制御電源回路、１４０  異常検出回路、１４１  異常電圧検出回路、１４２  ラッチ回路、１５０  スイッチ回路、１６０  指示入力回路、１６１  信号変換回路、１７０  電源検出回路、１８０  遅延回路、８００  照明装置、８１０  光源回路、８１１  光源素子、８２０  コントローラ、８５０  本体、８６０  コネクタ、８７０  光源基板、８８１，８８２  配線、Ａ３４  増幅器、ＡＣ  交流電源、Ｃ１４，Ｃ２４  平滑コンデンサ、Ｃ３３，Ｃ５２  コンデンサ、Ｄ１３，Ｄ２２，Ｄ５７，Ｄ７１，Ｄ７２  整流素子、ＤＢ  ダイオードブリッジ、Ｌ１１，Ｌ２３  チョークコイル、ＰＣ  フォトカプラ、Ｑ１２，Ｑ２１，Ｑ５３，Ｑ５６，Ｑ６１，Ｑ６５，Ｑ６６  スイッチング素子、Ｒ３１  電流検出抵抗、Ｒ３２，Ｒ５１  抵抗、Ｒ４１，Ｒ４２，Ｒ５４，Ｒ５５，Ｒ６３，Ｒ６４，Ｒ７３，Ｒ７４  分圧抵抗、Ｒ６２  プルアップ抵抗、ＳＷ  スイッチ、Ｖ３５  基準電圧源、Ｚ４３，Ｚ７５  定電圧ダイオード。
【図１】
2011130543.tif 000003
【図２】
2011130543.tif 000004
【図３】
2011130543.tif 000005
【図４】
2011130543.tif 000006
【図５】
2011130543.tif 000007
【図６】
2011130543.tif 000008
【図７】
2011130543.tif 000009